【手続補正書】
【提出日】平成21年9月25日(2009.9.25)
【手続補正１】
【補正対象書類名】特許請求の範囲
【補正対象項目名】全文
【補正方法】変更
【補正の内容】
【特許請求の範囲】
【請求項１】
原稿の第一面を読み取る第１の原稿読み取り手段と、
前記原稿の第二面を読み取る第２の原稿読み取り手段と、
前記第１及び第２の原稿読み取り手段が配置された搬送経路と、
前記搬送経路を通過した原稿を反転し原稿の表裏を反転させた状態で前記搬送経路に再度導く原稿反転手段と、
前記第１及び第２いずれか一方の原稿読み取り手段の画像データを保持する記憶手段と、
前記第１及び第２の原稿読み取り手段の読み取り画像データをデータ転送ラインに転送する転送手段と、
原稿のサイズを検出するサイズ検出手段と、
前記サイズ検出手段によって検出された原稿のサイズが所定サイズ以下であるか否かを判断するサイズ判断手段と、
前記サイズ判断手段により前記所定サイズ以下であると判断された場合、前記第１及び第２の原稿読み取り手段により前記搬送経路を通過する原稿の第一面及び第二面を読み取らせ、前記第１の原稿読み取り手段の画像データを前記転送手段により転送させるとともに前記第２の原稿読み取り手段の画像データを前記記憶手段に保持させ、前記第１の原稿読み取り手段の画像データの転送後に前記記憶手段に保持された画像データを前記転送手段により転送させる両面原稿同時読み取りモードを実行し、前記サイズ判断手段により前記所定サイズより大きいと判断された場合、前記第１の原稿読み取り手段により原稿の第一面を読み取らせ、前記第１の原稿読み取り手段の画像データを前記転送手段により転送させ、前記原稿反転手段により表裏を反転された原稿の第二面を前記第１の原稿読み取り手段により読み取らせ、前記第１の原稿読み取り手段の画像データを前記転送手段により転送させる両面原稿反転読み取りモードを実行する制御手段と、
を備えることを特徴とする画像読み取り装置。
【請求項２】
原稿の第一面を読み取る第１の原稿読み取り手段と、
前記原稿の第二面を読み取る第２の原稿読み取り手段と、
前記第１及び第２の原稿読み取り手段が配置された搬送経路と、
前記搬送経路を通過した原稿を反転し原稿の表裏を反転させた状態で前記搬送経路に再度導く原稿反転手段と、
前記第１及び第２いずれか一方の原稿読み取り手段の画像データを保持する記憶手段と、
前記第１及び第２の原稿読み取り手段の読み取り画像データをデータ転送ラインに転送する転送手段と、
原稿のサイズを検出するサイズ検出手段と、
カラー読み取りモードまたはモノクロ読み取りモードを指定するモード指定手段と、
前記サイズ検出手段及びモード指定手段からの情報に基づいて、原稿のサイズが前記記憶手段に記憶可能なサイズか否かを判断するサイズ判断手段と、
前記サイズ判断手段により前記記憶手段に記憶可能であると判断された場合、前記第１及び第２の原稿読み取り手段により前記搬送経路を通過する原稿の第一面及び第二面を読み取らせ、前記第１の原稿読み取り手段の画像データを前記転送手段により転送させるとともに前記第２の原稿読み取り手段の画像データを前記記憶手段に保持させ、前記第１の原稿読み取り手段の画像データの転送後に前記記憶手段に保持された画像データを前記転送手段により転送させる両面原稿同時読み取りモードを実行し、前記サイズ判断手段により前記記憶手段に記憶不可であると判断された場合、前記第１の原稿読み取り手段により原稿の第一面を読み取らせ、前記第１の原稿読み取り手段の画像データを前記転送手段により転送させ、前記原稿反転手段により表裏を反転された原稿の第二面を前記第１の原稿読み取り手段により読み取らせ、前記第１の原稿読み取り手段の画像データを前記転送手段により転送させる両面原稿反転読み取りモードを実行する制御手段と、
を備えることを特徴とする画像読み取り装置。
【手続補正２】
【補正対象書類名】明細書
【補正対象項目名】発明の名称
【補正方法】変更
【補正の内容】
【発明の名称】画像読み取り装置  
【手続補正３】
【補正対象書類名】明細書
【補正対象項目名】０００１
【補正方法】変更
【補正の内容】
【０００１】
本発明は、デジタル複写機、ファクシミリ等、スキャナ等の画像読み取り装置に関し、特に、原稿の両面を同時に一度の搬送で読み取る両面同時読み取り構成を持った画像読み取り装置に関する。
【手続補正４】
【補正対象書類名】明細書
【補正対象項目名】０００３
【補正方法】変更
【補正の内容】
【０００３】
さらには、生産性向上のために画像読み取り手段を２つ設けて、原稿の表裏を一度の搬送で読み取るものが知られている（例えば、特許文献２参照）。また、画像読み取り手段を２つ設けた構成において、画像データ出力ラインが一つしかない場合のデータ転送技術に関しては、例えば特許文献３がある。
【手続補正５】
【補正対象書類名】明細書
【補正対象項目名】０００４
【補正方法】変更
【補正の内容】
【０００４】
特許文献３では、画像データ出力ラインが一つしかない構成で原稿の両面同時読み取りを行う際には、原稿の表面読み取り中に裏面の読み取り画像データを一時記憶メモリに記憶しておく。  
【手続補正６】
【補正対象書類名】明細書
【補正対象項目名】０００９
【補正方法】削除
【補正の内容】
【手続補正７】
【補正対象書類名】明細書
【補正対象項目名】００１０
【補正方法】変更
【補正の内容】
【００１０】
本発明の目的は、原稿の表裏を２つの読み取り手段により読み取る画像読み取り装置において、画像歪等を発生させることなく、メモリ容量の削減及びコストダウンが可能な画像読み取り装置を提供することにある。
【手続補正８】
【補正対象書類名】明細書
【補正対象項目名】００１１
【補正方法】変更
【補正の内容】
【００１１】
上記目的を達成するために、請求項１記載の画像読み取り装置は、原稿の第一面を読み取る第１の原稿読み取り手段と、前記原稿の第二面を読み取る第２の原稿読み取り手段と、前記第１及び第２の原稿読み取り手段が配置された搬送経路と、前記搬送経路を通過した原稿を反転し原稿の表裏を反転させた状態で前記搬送経路に再度導く原稿反転手段と、前記第１及び第２いずれか一方の原稿読み取り手段の画像データを保持する記憶手段と、前記第１及び第２の原稿読み取り手段の読み取り画像データをデータ転送ラインに転送する転送手段と、原稿のサイズを検出するサイズ検出手段と、前記サイズ検出手段によって検出された原稿のサイズが所定サイズ以下であるか否かを判断するサイズ判断手段と、前記サイズ判断手段により前記所定サイズ以下であると判断された場合、前記第１及び第２の原稿読み取り手段により前記搬送経路を通過する原稿の第一面及び第二面を読み取らせ、前記第１の原稿読み取り手段の画像データを前記転送手段により転送させるとともに前記第２の原稿読み取り手段の画像データを前記記憶手段に保持させ、前記第１の原稿読み取り手段の画像データの転送後に前記記憶手段に保持された画像データを前記転送手段により転送させる両面原稿同時読み取りモードを実行し、前記サイズ判断手段により前記所定サイズより大きいと判断された場合、前記第１の原稿読み取り手段により原稿の第一面を読み取らせ、前記第１の原稿読み取り手段の画像データを前記転送手段により転送させ、前記原稿反転手段により表裏を反転された原稿の第二面を前記第１の原稿読み取り手段により読み取らせ、前記第１の原稿読み取り手段の画像データを前記転送手段により転送させる両面原稿反転読み取りモードを実行する制御手段と、を備えることを特徴とする。
【手続補正９】
【補正対象書類名】明細書
【補正対象項目名】００１２
【補正方法】変更
【補正の内容】
【００１２】
請求項２記載の画像読み取り装置は、原稿の第一面を読み取る第１の原稿読み取り手段と、前記原稿の第二面を読み取る第２の原稿読み取り手段と、前記第１及び第２の原稿読み取り手段が配置された搬送経路と、前記搬送経路を通過した原稿を反転し原稿の表裏を反転させた状態で前記搬送経路に再度導く原稿反転手段と、前記第１及び第２いずれか一方の原稿読み取り手段の画像データを保持する記憶手段と、前記第１及び第２の原稿読み取り手段の読み取り画像データをデータ転送ラインに転送する転送手段と、原稿のサイズを検出するサイズ検出手段と、カラー読み取りモードまたはモノクロ読み取りモードを指定するモード指定手段と、前記サイズ検出手段及びモード指定手段からの情報に基づいて、原稿のサイズが前記記憶手段に記憶可能なサイズか否かを判断するサイズ判断手段と、前記サイズ判断手段により前記記憶手段に記憶可能であると判断された場合、前記第１及び第２の原稿読み取り手段により前記搬送経路を通過する原稿の第一面及び第二面を読み取らせ、前記第１の原稿読み取り手段の画像データを前記転送手段により転送させるとともに前記第２の原稿読み取り手段の画像データを前記記憶手段に保持させ、前記第１の原稿読み取り手段の画像データの転送後に前記記憶手段に保持された画像データを前記転送手段により転送させる両面原稿同時読み取りモードを実行し、前記サイズ判断手段により前記記憶手段に記憶不可であると判断された場合、前記第１の原稿読み取り手段により原稿の第一面を読み取らせ、前記第１の原稿読み取り手段の画像データを前記転送手段により転送させ、前記原稿反転手段により表裏を反転された原稿の第二面を前記第１の原稿読み取り手段により読み取らせ、前記第１の原稿読み取り手段の画像データを前記転送手段により転送させる両面原稿反転読み取りモードを実行する制御手段と、を備えることを特徴とする。
【手続補正１０】
【補正対象書類名】明細書
【補正対象項目名】００１３
【補正方法】削除
【補正の内容】
【手続補正１１】
【補正対象書類名】明細書
【補正対象項目名】００１４
【補正方法】削除
【補正の内容】
【手続補正１２】
【補正対象書類名】明細書
【補正対象項目名】００１５
【補正方法】削除
【補正の内容】
【手続補正１３】
【補正対象書類名】明細書
【補正対象項目名】００１６
【補正方法】変更
【補正の内容】
【００１６】
本発明によれば、第２の原稿読み取り手段の画像データを保持する記憶手段の容量を削減してコストダウンを図ることが可能になるとともに、原稿の第二面の画像データを記憶手段に記憶できないと判断した場合には、原稿反転手段を用いて原稿の第一面及び第二面の両方を第１の原稿読み取り手段により読み取らせるので、原稿面の読み取り途中で原稿搬送を停止させることがなく、画像歪等を発生させることがない。
【手続補正１４】
【補正対象書類名】明細書
【補正対象項目名】００１７
【補正方法】削除
【補正の内容】